(57)【要約】【課題】デザイン的な制約を受けることなく照度検知可能として節電効果を高めた冷蔵庫の提供。【解決手段】冷蔵庫本体内の冷蔵室を開閉する扉を備え、前記扉に照度センサ３０を設け、この照度センサ３０はその下端面に向けて光センサ３７を設置するとともに、外部からの光を前記光センサ３７に導入する導光部材３８を設けて構成し、かつ前記導光部材３８の先端は前記扉の下部に位置させて前方から光を導入する構成としてある。これにより、照度センサを設けた扉下方の扉上部に傾斜部を設ける必要がなくなり、当該扉上部のデザインを制限するようなことが無くなるとともに把手部を設けることもできる。しかも照度センサは扉端面より奥まった部分に位置させることができるので扉表面等に掛かる水等が侵入するようなこともなくなり、高い信頼性を維持することもできる。【選択図】図８
2018115850.tif 000002
【特許請求の範囲】
【請求項１】
冷蔵庫本体と、前記冷蔵庫本体内に設けた複数の貯蔵室と、前記貯蔵室の開口部を開閉する扉とを備え、前記扉はその一つに照度センサを設け、この照度センサは、下端面に向けて設置した光センサと、前記光センサに外部からの光を案内する導光部材とからなりかつ、前記導光部材の先端は前記扉の下部に位置させて前方から光を導入可能とした冷蔵庫。
【請求項２】
導光部材は扉前方とともに扉下方からも光が導入できるように設置した請求項１記載の冷蔵庫。
【請求項３】
導光部材はその先端を扉の扉枠部分から前方及び下方に臨ませて設けた請求項１または２記載の冷蔵庫。
【請求項４】
扉枠はその下部適所に透孔を設けて導光部材の先端を臨ませるとともに、その先端面は扉枠の端面と面一状態とした請求項１〜３のいずれか１項に記載の冷蔵庫。
【請求項５】
導光部材は略Ｌ字状に形成してその先端を扉枠部分から前方に臨ませるとともに、他端側を上向きにしてその端面を照度センサに対向配置した請求項１〜４のいずれか１項に記載の冷蔵庫。
【請求項６】
導光部材のＬ字状に屈曲する角部には面取り部を設けた請求項１〜５のいずれか１項に記載の冷蔵庫。
【発明の詳細な説明】
【技術分野】
【０００１】
本発明は照度検知機能を有する冷蔵庫に関するものである。
【背景技術】
【０００２】
一般に冷蔵庫は家庭で使用される電力の割合が高く、その使用電力を可能な限り抑えるべく、照度センサを用いて節電運転を行うものが提案されている（例えば、特許文献１参照）。
【０００３】
図２１はこの特許文献１に記載された冷蔵庫を示し、この冷蔵庫は冷蔵室５１０を開閉する観音開き式扉の下端面に照度センサ５３１を設けるとともに、前記照度センサ５３１を設けた観音開き式扉の下端面と対向する扉５１２の上端面には外部からの光を前記照度センサに向けて反射させる傾斜面５１２ｂを形成した構成としてある。
【０００４】
この構成により、照度センサ５３１は室内の光を効率よく検知することができ、その感度を向上させて確実かつ効率の良い照度検知が可能になり節電効果を高めることができる、というものである。
【先行技術文献】
【特許文献】
【０００５】
【特許文献１】特開２０１４−７４５５８号公報
【発明の概要】
【発明が解決しようとする課題】
【０００６】
しかしながら上記特許文献１の構成によると、照度センサを設けた観音開き式扉下方の扉の上端面には外部からの光を前記照度センサに向けて反射させる傾斜面を必要とし、デザイン的な制約を受けるという課題があった。又、当該部分に把手部を設けることができないという課題もあった。
【０００７】
本発明はこのような点に鑑みてなしたもので、デザイン的な制約を受けることなく照度検知可能として節電効果を高めた冷蔵庫の提供を目的としたものである。
【課題を解決するための手段】
【０００８】
本発明は上記目的を達成するため、冷蔵庫本体と、前記冷蔵庫本体内に設けた複数の貯蔵室と、前記貯蔵室の開口部を開閉する扉とを備え、前記扉はその一つに照度センサを設け、この照度センサは、下端面に向けて設置した光センサと、前記光センサに外部からの光を案内する導光部材とを備え、かつ、前記導光部材の先端は前記扉の下部に位置させて前方から光を導入可能としてある。
【０００９】
これにより、照度センサを設けた扉下方の扉上部に傾斜部を設ける必要がなくなり、当該扉上部のデザインを制限するようなことがなくなるとともに、把手部を設けることもできる。しかも照度センサは導光部材を設けた分だけ扉端面より奥まった部分に位置させることができるので、扉表面等に掛かる水等が侵入するようなこともなくなり、高い信頼性を維持することもできる。
【発明の効果】
【００１０】
本発明は、上記構成によって、照度センサを設けた扉下方に位置する扉上部のデザインを任意に設定できるとともに把手部を設けることもでき、意匠及び信頼性が高く使い勝手も良い冷蔵庫とすることができる。
【図面の簡単な説明】
【００１１】
【図１】本発明の実施の形態１における冷蔵庫の外観斜視図
【図２】同冷蔵庫の概略断面図
【図３】同冷蔵庫の扉部分を示す断面図
【図４】同冷蔵庫の扉の一つを示す外観斜視図
【図５】同冷蔵庫の扉の内ケースを外して示す扉内面図
【図６】同冷蔵庫の扉の分解斜視図
【図７】図４のＡ−Ａ断面図
【図８】同冷蔵庫の扉に設けた照度センサ設置部分を示す断面図
【図９】同冷蔵庫の照度センサブロックを示す斜視図
【図１０】同冷蔵庫の扉の要部を示す正面図
【図１１】同冷蔵庫の扉に設けた操作表示装置の断面図
【図１２】同冷蔵庫の操作表示装置の外観斜視図
【図１３】同冷蔵庫の操作表示装置の分解斜視図
【図１４】同冷蔵庫の操作表示装置の表面側を示す正面図
【図１５】同冷蔵庫の操作表示装置の裏面側を示す正面図
【図１６】同冷蔵庫の操作表示装置に設けた突出部と第一押圧部を示す斜視図
【図１７】同冷蔵庫の操作表示装置に設けた第二押圧部を示す斜視図
【図１８】同冷蔵庫の操作表示装置の収納部材と扉の斜視図
【図１９】図１８のＢ−Ｂ断面図
【図２０】図１８のＣ−Ｃ断面図
【図２１】従来の冷蔵庫における照度センサ設置部分の断面図
【発明を実施するための形態】
【００１２】
第１の発明は、冷蔵庫本体と、前記冷蔵庫本体内に設けた複数の貯蔵室と、前記貯蔵室の開口部を開閉する扉とを備え、前記扉はその一つに照度センサを設け、この照度センサは、下端面に向けて設置した光センサと、前記光センサに外部からの光を案内する導光部材とを備え、かつ、前記導光部材の先端は前記扉の下部に位置させて前方から光を導入可能としてある。
【００１３】
これにより、照度センサを設けた扉下方の扉上部に傾斜部を設ける必要がなくなり、当該扉上部のデザインを制限するようなことがなくなるとともに、把手部を設けることもできる。しかも照度センサは導光部材を設けた分だけ扉端面より奥まった部分に位置させることができるので、扉表面等に掛かる水等が侵入するようなこともなくなり、高い信頼性を維持することもできる。
【００１４】
第２の発明は、第１の発明において、前記導光部材は扉前方とともに扉下方からも光が導入できるように設置した構成としてある。
【００１５】
これにより、より広い範囲から光を導光することができ、照度検知精度を高めることができる。
【００１６】
第３の発明は、第１または第２の発明において、前記導光部材はその先端を扉の扉枠部分から前方及び下方に臨ませて設けた構成としてある。
【００１７】
これにより、導光部材は目立ちにくい状態とすることができるとともに、広範囲から光を導光することができ、照度検知を高めると同時に高い意匠性を保持することができる。
【００１８】
第４の発明は、第１〜第３のいずれかの発明において、扉枠はその下部適所に透孔を設けて導光部材の先端を臨ませるとともに、その先端面は扉枠の端面と面一状態とした構成としてある。
【００１９】
これにより、導光部材を目立たせることなく扉下部に設けることができる。
【００２０】
第５の発明は、第１〜第４のいずれかの発明において、前記導光部材は略Ｌ字状に形成してその先端を扉枠部分から前方に臨ませるとともに、他端側を上向きにしてその端面を照度センサに対向配置した構成としてある。
【００２１】
これにより、扉表面に付着する水等が導光部材を伝って照度センサ部分へと侵入するのを確実に防止でき、信頼性をより高いものとすることができる。
【００２２】
第６の発明は、第１〜第５のいずれかの発明において、前記導光部材のＬ字状に屈曲する角部には面取り部を設けた構成としてある。
【００２３】
これにより、導光部材の先端から導入した光は面取り部によって効率よく照度センサへと向かわせることができ、照度検知性能を向上させることができる。
【００２４】
第７の発明は、第１〜第６のいずれかの発明において、前記導光部材は照度センサ基板とともにホルダー基板に保持させて扉下部に設けた構成としてある。
【００２５】
これにより、照度センサと導光部材とはホルダー基板という一つの部材に組み込んでいるので照度センサ及び導光部材相互の位置関係精度が高まり、照度検知性能をより一層高めることができる。
【００２６】
以下、本発明の実施の形態について、図面を参照しながら説明する。なお、この実施の形態では扉前面部材にガラス板等の透明板を用いて意匠性を高めた冷蔵庫を例にして説明するが、これによって本発明が限定されるものではない。
【００２７】
（実施の形態１）
図１〜図３は、本開示の実施の形態の一例による冷蔵庫の全体構成を説明するための図である。図４〜図７は、本開示の実施の形態の一例による冷蔵庫の扉構成を示す図である。図８〜図１０は、本開示の実施の形態の一例による冷蔵庫の扉に設けられた照度センサを示す図である。図１１〜図２０は、本開示の実施の形態の一例による冷蔵庫の扉に設けられた操作表示部を示す図である。
【００２８】
（１−１．冷蔵庫の全体構成）
まず、図１〜図３を用いて、本開示の実施の形態の一例による冷蔵庫の全体構成を説明する。
【００２９】
図１〜図３に示すように、本開示の実施の形態の一例による冷蔵庫８０は、冷蔵庫本体１を有する。冷蔵庫本体１は、前方に開口する金属製（例えば鉄板）の外箱２と、硬質樹脂製（例えばＡＢＳ）の内箱３と、外箱２と内箱３との間に充填されて発泡させた硬質ウレタン等の発泡断熱材４とからなる。
【００３０】
冷蔵庫本体１は、図２に示すように、その内部が仕切られて複数の貯蔵室が形成されている。複数の貯蔵室は、冷蔵庫本体１の上部から、冷蔵室５、冷蔵室５の下に位置する切替室６および切替室６に並設された製氷室７７、切替室６および製氷室７７の下に位置する冷凍室８、並びに、冷凍室８の下に位置する野菜室９を有する。
【００３１】
また、複数の貯蔵室は、それぞれの前面が扉によって開閉自在となるよう構成されている。すなわち、冷蔵室５の前面は、観音開き式の扉１０，１０（以下、観音開き式扉１０と称す）により開閉自在に閉塞されている。切替室６および製氷室７７、冷凍室８並びに野菜室９の前面は、引き出し式の扉１１，１２，１３，１４（以下、引き出し式扉１１，１２，１３，１４と称す）によって開閉自在に閉塞されている。
【００３２】
また、冷蔵庫本体１の背面側には、冷却室１６が設けられている。冷却室１６には、冷気を生成する冷却器１７と、冷気を各貯蔵室に供給する送風ファン１８とが設けられている。また、冷蔵庫本体１の天面奥部には、圧縮機８１９が設けられている。圧縮機８１９では、コンデンサ（図示せず）と、放熱用の放熱パイプ８２０と、キャピラリーチューブ２１と、冷却器１７とが、順次環状に接続されて、冷凍サイクルを構成している。冷蔵庫８０は、この冷凍サイクルに冷媒が封入され、冷却運転が行われるように構成されている。
【００３３】
また、扉１０〜１４それぞれは、冷蔵庫本体１と同様、硬質ウレタン等の発泡断熱材を充填発泡させて断熱性を有するよう構成されている。また、扉１０〜１４それぞれは、更に意匠性を向上させるべく、扉前面部材は、ガラス板等の透明板で構成されている。
【００３４】
以下、扉１０〜１４の構成を、観音開き式扉１０を例にして、図４〜図７を用いて説明する。なお、観音開き式扉１０以外の扉１１〜１４も同様に構成されている。
【００３５】
図４〜図７に示すように、観音開き式扉１０は、内側に位置する内フレーム２２を有し、内フレーム２２は、例えばＡＢＳ樹脂で形成されている。内フレーム２２の周端面には、扉枠２３が固定されている。扉枠２３は、例えばＡＢＳ樹脂で形成されている。内フレーム２２を覆うように、扉前面部材２４が扉枠２３に積層配置されている。扉前面部材は、本実施の形態では、光沢のある強化ガラス板等の透明板で形成されている（以下、扉前面部材２４をガラス板２４と称する）。
【００３６】
ガラス板２４は、図７に示すように、その内面に接着剤２５を介して樹脂フィルム２６が貼り付けられている。樹脂フィルム２６に、絵模様、例えばヘアーラインのような金属調模様からなる着色層２７が形成されている。これによって、ガラス板２４は、あたかも着色層付きのガラス板となる。
【００３７】
本実施の形態では、樹脂フィルム２６には、透明性が高く、機械的強度の高いポリエチレンテレフタレートが用いられている。着色層２７は、着色がホワイト系ではガラス板２４とは反対側の面に形成され、グレー系ではガラス板２４側に形成されている。図７は、着色層２７が、ガラス板２４とは反対側の面に形成された場合を示している。
【００３８】
図７に示すように、ガラス板２４の樹脂フィルム２６側の面と、内フレーム２２と、扉枠２３との間の空間に、硬質ウレタン等の発泡断熱材２８が充填発泡されている。発泡断熱材２８は、発泡によって、内フレーム２２、扉枠２３、および、ガラス板２４内面の樹脂フィルム２６に接着し、樹脂フィルム２６を介して、ガラス板２４を接着保持している。ガラス板２４の外周縁部は、そのまま露出状態となっている。ガラス板２４は、その外周縁部が、扉枠２３の端縁より若干内側、本実施の形態では、約２ｍｍ程度内側に位置するように構成されている。
【００３９】
また、観音開き式扉１０は、図３および図６に示すように、観音開き式扉１０の下辺を形成する扉枠２３の下辺に、上向きの凹部が形成されて、把手部１０ａが形成されている。観音開き式扉１０は、観音開き式扉１０を開閉自在に軸支するヒンジ１５（図１参照）を有する。ヒンジ１５の自由端側に、把手部１０ａが形成されている。また、観音開き式扉１０直下の引き出し式扉１１，１２、および、さらにその下方の冷凍室８および野菜室９の引き出し式扉１３，１４には、それぞれの扉枠２３の上端面に、下向きの凹部が形成されて、把手部１１ａ，１２ａ，１３ａ，１４ａが設けられている。把手部１０ａ，１１ａ，１２ａ，１３ａ，１４ａが形成された扉枠２３は、上述したように、着色ガラス板挿入部を有しておらず、把手部１０ａ〜１４ａそれぞれが扉端面に凹設されていることから、扉群（扉１０〜１４）の表面は、フラット感のある平坦面となっている。
【００４０】
また、観音開き式扉１０は、図１および図４に示すように、その一方の観音開き式扉１０に、照度を検知して節電運転をする照度センサ３０と、冷蔵庫８０の運転を操作するとともにその運転状態を表示する操作表示装置３１とが設けられている。照度センサ３０および操作表示装置３１の構成については後述する。
【００４１】
（１−２．照度センサとその設置構成）
まず、図８〜図１０を用いて、照度センサ３０とその設置構成について説明する。
【００４２】
照度センサ３０は、図６に示すように、観音開き式扉１０の一方の下辺の扉枠２３に設けられている。また、照度センサ３０は、観音開き式扉１０の一方の把手部１０ａの横に形成されたユニット枠３２内に収納される。
【００４３】
詳述すると、照度センサ３０は、扉枠２３を構成するユニット枠３２にユニット枠体３３が組み込まれ、ユニット枠体３３にセンサ基板３４がネジ３５で固定されて、構成されている。また、図８および図９に示すように、照度センサ３０には、センサ基板３４にスペーサ３６を介して、光センサ３７が下向きに取り付けられている。光センサ３７の下方に、これと対向させて略Ｌ字状の光透過性樹脂成形品からなる導光部材３８が設置されている。
【００４４】
導光部材３８は、センサ基板３４とともにユニット枠体３３に保持させて設けられている。導光部材３８は、その上端が、上述したように、光センサ３７に対向し、反対側の先端部４０が、ユニット枠体３３に設けられた透孔部（透孔）３９内に挿入されている。先端部４０は、図８に示すように、透孔部３９を貫通して配置されている。透孔部３９に対面する扉枠２３には、図１０に示すように、切欠き部２３ａが形成されている。先端部４０は、切欠き部２３ａから扉前面および下方に臨むように配設されている。
【００４５】
更に、導光部材３８は、図８に示すように、先端部４０の先端面が、扉枠２３の前面と略同一面となるように、配設されている。また、先端部４０には、観音開き式扉１０の前方および下方に向かって傾斜する傾斜面が形成されている。
【００４６】
また、先端部４０は、図８に示すように、外側に膨らんだ略円弧状の形状を有する。更に、導光部材３８は、略Ｌ字状に屈曲する角部に、面取り部４１が設けられている。導光部材３８は、面取り部４１により、先端部４０から導入した光を効率よく光センサ３７に向けて屈曲させるように構成されている。
【００４７】
（１−３．操作表示構成）
次に、図１１〜図２０を用いて、冷蔵庫８０の扉に設けられる操作表示装置３１の構成について説明する。
【００４８】
操作表示装置３１は、本実施の形態では、複数の扉１０〜１４のうち、観音開き式扉１０の一方、すなわち照度センサ３０が設けられた側の観音開き式扉１０に設けられている。また、操作表示装置３１は、本実施の形態では、静電容量の変化を検出して作動するタイプのものが用いられている。
【００４９】
操作表示装置３１は、図１１に示すように、観音開き式扉１０の側辺の扉枠２３に開口した開口部２３ｂから挿入され、観音開き式扉１０の内部に形成された収納部材４４に収納される。操作表示装置３１は、扉前面部材となるガラス板２４の内面に密接して、ガラス板２４の表面側からタッチ操作可能となるよう配設されている。
【００５０】
詳述すると、図１９に示すように、観音開き式扉１０の内部に断熱材が充填される前に、観音開き式扉１０を構成する４辺の扉枠２３に、ガラス板２４が接着材で接着固定される。操作表示装置３１が挿入される観音開き式扉１０側辺の扉枠２３の開口部２３ｂを形成する扉枠フランジ２３ｃには、左右移動を規制する左右規制突起部２３ｅが扉枠フランジ２３ｃと一体形成されている。また、図２０に示すように、扉枠２３には、前後移動を規制する前後規制突起部２３ｄが扉枠２３と一体形成されている。収納部材４４は、扉枠フランジ２３ｃに係合する。具体的には、図１９および図２０に示すように、収納部材４４には、扉枠フランジ２３ｃの前後規制突起部２３ｄと左右規制突起部２３ｅとにそれぞれ係合する、第１係合部４４ａおよび第２係合部４４ｂが形成されている。また、収納部材４４の開口フランジ部４４ｃ（図１８参照）には、段差部４４ｄが形成されている。段差部４４ｄと、ガラス板２４との間には、ウレタンフォームなどの軟質フォーム部材６３が配置されている。
【００５１】
上述したように、収納部材４４は、扉枠フランジ２３ｃの左右規制突起部２３ｅに、第２係合部４４ｂを係合させ、これを基点に、収納部材４４を回転させながら、ガラス板２４の裏面に、開口フランジ部４４ｃを接着させる。この時、前後規制突起部２３ｄに、収納部材４４の第１係合部４４ａが係合し、収納部材４４は、ガラス板２４に位置決め固定される。
【００５２】
これによって、収納部材４４の前面は、ガラス板２４で構成されることになり、操作表示装置３１は、ガラス板２４の裏面に接しながら、観音開き式扉１０内に収納配置される。本実施の形態の冷蔵庫８０においては、段差部４４ｄに軟質フォーム部材６３が設けられているので、収納部材４４をガラス板２４に対して回転させて位置決めした時に、ガラス板２４の裏面と、収納部材４４とを密着固定させることができる。
【００５３】
また、図１１に示すように、操作表示装置３１を構成する基板４５の背面に位置する収納部材４４の背面側は、開口部２３ｂから操作表示装置３１が挿入される方向に向かって徐々に、前面にあるガラス板２４に近づくように傾斜した傾斜面を有する。収納部材４４は、その背面側の、ホルダ基板４６の突出部５５に対応する部分が、段差形状を有し、ガラス板２４との前後方向の隙間が、他の部分と比べて狭くなるよう構成されている。
【００５４】
また、収納部材４４の裏面（内フレーム２２側の面）の少なくとも一部には、ポリエチレンフォームなどの軟質フォーム６４が貼付される。図１８に示すような状態で、所定冶具内で発泡ウレタンが充填され、内フレーム２２に貼付された真空断熱材６５（図１１参照）を上から被せて扉１０を成型する。図１１に示すように、収納部材４４の裏面側には、ウレタンは充填されず、軟質フォーム６４、真空断熱材６５、および、内フレーム２２で構成されている。このような構成により、冷蔵庫８０内の内容積を確保することができる。
【００５５】
操作表示装置３１は、図１３に示すように、基板４５と、基板４５の前方を覆って保持するホルダ基板４６と、ホルダ基板４６の前面に配置されたフィルム基板４７と、更にその前面に配置されたフィルム部材４８とからなる。
【００５６】
基板４５には、表示文字等を照らす複数のＬＥＤ４９が実装されている。基板４５の端部には、フィルム基板４７を接続する接続端子５０が設けられている。ホルダ基板４６は、ＬＥＤ４９からの光を前方へと照射可能な開口部５１が設けられている。フィルム基板４７は、光透過性を有し、静電容量の変化を検出する電極５２と、配線パターンとが配置されている。フィルム部材４８は、ＬＥＤ４９に照射される表示文字５３が付されている。
【００５７】
操作表示装置３１には、ホルダ基板４６の裏面に、基板４５が取り付けられ、ホルダ基板４６の前面に、フィルム基板４７およびフィルム部材４８が重ね合わされて取り付けられている。フィルム基板４７のリード線部５４は、ホルダ基板４６の端部を跨ぐ形で折り返されている。また、フィルム基板４７のリード線部５４は、ホルダ基板４６の裏面側に配置された基板４５の接続端子５０に接続されている。操作表示装置３１は、図１２、図１４および図１５に示すように、基板４５と、ホルダ基板４６と、フィルム基板４７と、フィルム部材４８とが、ユニット化されている。操作表示装置３１は、ユニット化された状態で、観音開き式扉１０の収納部材４４に収納され組み込まれている。
【００５８】
ここで、ホルダ基板４６には、図１２〜図１４に示すように、フィルム基板４７のリード線部５４の折り返された部分の端部に、リード線部５４の折返し部分より外方まで突出する突出部５５が設けられている。
【００５９】
また、ホルダ基板４６は、突出部５５の裏面側に、弾性変形可能な屈曲突起からなる第一押圧部５６が設けられている。第一押圧部５６は、操作表示装置３１が収納部材４４に収納されたとき、収納部材４４の背面に圧接され、ホルダ基板４６を前方のガラス板２４に向けて押圧している。
【００６０】
更に、ホルダ基板４６の上辺および下辺には、前後方向に弾性変形可能な屈曲突起からなる第二押圧部５７が設けられている（図１３〜図１５および図１７参照）。操作表示装置３１が収納部材４４に収納されたとき、第二押圧部５７が、第一押圧部５６と同様、ホルダ基板４６を前方へ向けて押圧している。
【００６１】
すなわち、ホルダ基板４６は、第一押圧部５６および第二押圧部５７の弾性力によって、ホルダ基板４６の前面側に設けられたフィルム基板４７が、フィルム部材４８を介して、観音開き式扉１０のガラス板２４内面に圧接固定されるよう構成されている。
【００６２】
また、ホルダ基板４６は、その上端縁部および下端縁部の少なくともいずれか一方、本実施の形態では、下端縁部に、突起５８が設けられている（図１４参照）。突起５８は、収納部材４４の下部内面に当接し、ホルダ基板４６の上下動を規制している。
【００６３】
更に、ホルダ基板４６は、突出部５５とは反対側の端部に、係止突起５９を有する抜け防止片６０が設けられている。抜け防止片６０は、上下方向に弾性変形可能に構成されている。抜け防止片６０は、収納部材４４の上部内面に形成された係止爪部係止される。また、開口部２３ｂは、蓋板６１で塞がれる。
【００６４】
なお、フィルム基板４７のリード線部５４が接続される基板４５は、リード線部５４が接続される接続端子５０とは反対側の部分に、電源用コネクタ６２を有する（図１３および図１４参照）。冷蔵庫８０全体を制御する制御基板（図示しない）に接続された接続配線が、電源用コネクタ６２に接続される。電源用コネクタ６２と対向するホルダ基板４６の一部には、切欠き部４６ａが設けられている。
【００６５】
また、ホルダ基板４６の上辺および下辺には、第二押圧部５７に対して、開口部２３ｂよりも内部側に、第一リブ６６が設けられ、第二押圧部５７よりも開口部２３ｂ側には、第二リブ６７が設けられている。上述したように、収納部材４４の背面側が傾斜面を有しているので、第一リブ６６は、第二リブ６７よりもリブ高さが低くなるように形成されている。このような構成により、操作表示装置３１は、収納部材４４内に収納された時、ガラス板２４の裏面にガタツキなく密接して配置される。
【００６６】
以上のように構成された冷蔵庫８０について、以下、その作用効果について説明する。
【００６７】
まず、冷蔵庫８０全体の構成ついて、その作用効果を簡単に説明する。
【００６８】
本開示の実施の形態の一例による冷蔵庫８０は、複数の扉１０〜１４を備えている。複数の扉１０〜１４それぞれの前面は、ガラス板２４によって構成されている。このような構成により、冷蔵庫８０は、高級感があって見栄えが良くなる。しかも、本開示の実施の形態の一例による冷蔵庫８０は、ガラス板２４の表面には、ガラス板挿入部および把手部１０ａ〜１４ａによる出っ張りがないので、複数の扉１０〜１４の表面は、ガラス板２４のみの平坦な面となっている。このような構成により、冷蔵庫８０は、扉が複数枚、設けられていても、複数の扉１０〜１４の表面が、全体としてフラット感のあるスッキリとしたものとなる。
【００６９】
また、本実施の形態の冷蔵庫８０によれば、観音開き式扉１０，１０の左右扉間の隙間も、把手部１０ａ，１０ａを観音開き式扉１０の下端面に凹設したことによって、左右扉間に把手部を設ける必要がなくなって狭くすることができる。よって、本実施の形態によれば、観音開き式扉１０，１０の左右扉の一体感およびフラット感も良好に維持することができる。
【００７０】
更に、本実施の形態の冷蔵庫８０によれば、ガラス板２４は、その内面側に着色層２７を施すことによって着色の色に深みが加わって質感が増す。また、着色層２７は、樹脂フィルム２６に形成されているので、ローラ等によって形成することができる。よって、本実施の形態の冷蔵庫８０によれば、ガラス板２４に直接着色層をシルク印刷するものでは不良率が高くて実質的には得られなかったようなヘァーライン等の精細な模様も形成することができて、更に意匠性の高い冷蔵庫を得ることができる。なお、樹脂フィルム２６は、必ずしも必要とするものではなく、着色および絵模様は、ガラス板２４に直接を施してもよいものであり、これによってコストダウンを図ることができる。
【００７１】
次に、照度センサ３０の作用効果について説明する。
【００７２】
照度センサ３０は、光センサ３７が観音開き式扉１０の一方の下部に、観音開き式扉１０の下端面に向けて設置されている。また、観音開き式扉１０の下端面に対向させて設けられた導光部材３８の先端部４０を、観音開き式扉１０下部の扉枠２３の下辺部分から前方に向けて臨ませている。このような構成により、照度センサ３０は、照度センサ３０が設けられた扉（本実施の形態では、観音開き式扉１０）の前方からの光を良好に検知することができる。
【００７３】
また、このような構成により、照度センサ３０が設けられた扉（本実施の形態では、観音開き式扉１０）の下方の扉（本実施の形態では、引き出し式扉１１）の上部に、光センサ３７に光を反射させる傾斜部を設ける必要がなくなり、照度センサ３０が設けられた扉の下方の扉（引き出し式扉１１）上部のデザインの自由度が向上するとともに、引き出し式扉１１上部に凹部を形成して把手部１１ａを設けることも可能となる。
【００７４】
また、導光部材３８は、その先端部４０が、観音開き式扉１０の特に扉枠２３部分から前方に臨むように配設されている。このような構成により、導光部材を、観音開き式扉１０の前面のガラス板２４の表面から前方に臨むような形で設ける場合に比べ、導光部材３８が目立ちにくく、意匠も良好な冷蔵庫を得ることができる。
【００７５】
また、導光部材３８は、ユニット枠体３３に設けられた透孔部３９内に挿入され、導光部材３８の先端部４０は、透孔部３９から貫通させて配置されている。また、先端部４０は、扉枠２３下辺に形成された切欠き部２３ａに臨ませて配設されている。また、先端部４０は、扉枠２３の端面と略面一状態となるよう構成されている（図８参照）。このような構成により、導光部材３８と扉枠２３とは、一体化するような形となり、高い意匠性を確保することができる。
【００７６】
よって、このような構成により、照度センサ３０を意識させることなく観音開き式扉１０に組み込むことができる冷蔵庫が得られる。また、このような構成により、フラット感があって、高い意匠性を持った冷蔵庫を提供できる。また、このような構成により、照度センサ３０による節電運転が可能で、省エネルギ性の高い冷蔵庫を得ることができる。
【００７７】
また、導光部材３８は、その先端部４０が、扉枠２３の下辺部分から、前方とともに下方にも臨ませている、すなわち、扉枠２３の下面の先端部に、切欠き部２３ａを設けて、導光部材３８の先端部４０を下方にも一部露出させている。しかも、先端部４０には、導光部材３８が設けられている扉（本実施の形態では、観音開き式扉１０）の前方および下方に向かって傾斜する傾斜面が設けられている。このような構成により、光センサ３７は、導光部材３８が設けられている扉の前方とともに下方からも光を導入することができる。したがって、光センサ３７は、下方も含めた広い範囲から光を検出可能となり、照度検知性能を大きく高めることができる。つまり、このような構成により、導光部材３８を目立ちにくいものとしつつ、照度検知性能を高めることができ、高い意匠性と省エネルギ性を併せ持つ、冷蔵庫を得ることができる。
【００７８】
加えて、導光部材３８は、そのＬ字状に屈曲する角部に、面取り部４１が施されている。このような構成により、導光部材３８の先端から導入した光を、面取り部４１によって効率よく光センサ３７へと向かわせることができる。したがって、照度センサ３０による照度検知性能を更に向上させることができる。
【００７９】
また、本実施の形態の冷蔵庫８０は、導光部材３８を介して、光を検知するように構成されている。このような構成により、光センサ３７は、照度センサ３０が設けられた扉（観音開き式扉１０）の端面より奥まった部分に位置させることができ、照度センサ３０が設けられた扉の表面等に掛かる水等が光センサ３７に侵入するようなこともなくなり、高い信頼性を維持することもできる。
【００８０】
特に、導光部材３８は、略Ｌ字状に形成されている。また、導光部材３８は、その先端部４０が、扉枠２３の下辺部分から前方に臨むように配設されている。また、導光部材３８は、先端部４０とは反対側の端部の端面が上向き、すなわち水平面を有するように形成されており、その端面は、光センサ３７と対向するよう配置されている。このような構成により、照度センサ３０が設けられた扉（本実施の形態では、観音開き式扉１０）の開閉時に、使用者の手が水等で濡れていて観音開き式扉１０の表面等に水等が掛かり、観音開き式扉１０表面に付着した水等が、導光部材３８の先端を伝って入り込むようなことがあったとしても、光センサ３７は、導光部材３８のＬ字状に屈曲した他端部側、すなわち導光部材３８の先端部４０よりも上方に位置しているので、光センサ３７設置部分まで水等が侵入することを確実に防止できる。よって、このような構成により、故障等のない信頼性の高い冷蔵庫を得ることができる。
【００８１】
また、導光部材３８は、センサ基板３４とともにユニット枠体３３に保持させて、照度センサ３０が設けられた扉の下部に設けられている。このような構成により、光センサ３７と導光部材３８との相互の位置関係精度が高まり、照度検知性能をより一層高めることができる。
【００８２】
しかも、照度センサ３０は、センサ基板３４がユニット枠体３３に取り付けられてユニット化されている。このような構成により、ユニット枠体３３を扉枠２３に形成されたユニット枠３２に収納するだけで、照度センサ３０を容易に取り付けることができ、生産性を向上させることができる。
【００８３】
次に、操作表示装置３１の作用効果について説明する。
【００８４】
操作表示装置３１は、静電容量の変化を検出する電極５２を備えており、ガラス板２４の前面からタッチ操作することによって冷却能力等を変更することができるとともに、ガラス板２４を介して変更内容を確認することができるよう構成されている。
【００８５】
ここで、操作表示装置３１のホルダ基板４６は、第一押圧部５６と第二押圧部５７によって、ホルダ基板４６の前面側に配置されたフィルム基板４７表面のフィルム部材４８を、観音開き式扉１０のガラス板２４内面に強く圧接固定するよう、構成されている。このような構成により、タッチ操作時の静電容量の検出精度が高まり、操作品質を向上させることができる。
【００８６】
また、ホルダ基板４６は、その下端縁部に、突起５８が設けられている。このような構成により、観音開き式扉１０が収納部材４４に挿入される際のスライド抵抗を低減することができる。したがって、ホルダ基板４６の収納部材４４への挿入作業を容易なものとすることができる。
【００８７】
また、ホルダ基板４６は、第一押圧部５６および第二押圧部５７の弾性力により、ガラス板２４の裏面に圧接される。また、ホルダ基板４６の上辺および下辺には、操作表示装置３１の挿入性を高めるために収納部材４４の背面側に設けられた傾斜面に対して、操作表示装置３１の前面がガタツキなく保持されるように、互いに高さの異なる第一リブ６６および第二リブ６７が設けられている。このような構成により、操作表示装置３１をガラス板２４の裏面に圧接配置させることができ、静電容量の検知バラツキを低減することができる。
【００８８】
また、ホルダ基板４６の前面に設けられたフィルム基板４７は、リード線部５４が、ホルダ基板４６の裏面側に設けられている基板４５に接続されるよう構成されている。すなわち、フィルム基板４７は、リード線部５４が、ホルダ基板４６の端部を跨ぐ形で折り返されて基板４５に接続されるよう構成されている。このような構成により、フィルム基板４７のリード線部５４が伸縮できなく、かつ、ホルダ基板４６の裏面側の基板４５との間に多少の寸法バラツキがあっても、リード線部５４を折り返す曲率を大小変化させることによって、そのバラツキを吸収することができる。よって、このような構成により、リード線部５４の接続作業が容易になって作業性を大きく向上させることができる。
【００８９】
すなわち、フィルム基板４７は、リード線部５４を基板４５に接続する前に、ホルダ基板４６の前面に貼り付けられる。このため、リード線部５４を折り返すことなくそのまま直線上に接続するように構成されている場合は、ホルダ基板４６の裏面側の基板４５との間に寸法バラツキがあると、リード線部５４の接続ができなくなる。このような場合、フィルム基板４７を貼り直してフィルム基板４７の位置の微修正を行う必要が出てくる。
【００９０】
しかしながら、本実施の形態で示したような構成、すなわち、リード線部５４を折り返して接続する構成とすれば、上述したように、折り返しの曲率を大小変化させるだけで寸法バラツキを吸収することができ、リード線部５４の接続作業が容易になって作業性を大きく向上させることができる。
【００９１】
また、ホルダ基板４６には、リード線部５４の折り返し部分より外方まで突出する突出部５５が設けられている。このような構成により、操作表示装置３１を観音開き式扉１０に組み込む際、ホルダ基板４６の突出部５５が、フィルム基板４７のリード線部５４を保護する形となる。したがって、観音開き式扉１０への組み込みも気を使うことなく容易に行え、作業性を向上させることができるとともに、フィルム基板４７のリード線部５４の傷つき等も抑制することができ、信頼性を大きく向上させることができる。
【００９２】
加えて、ホルダ基板４６は、突出部５５とは反対側の端縁に設けられた抜け防止片６０によって、観音開き式扉１０の収納部材４４に形成された係止爪部に係止される。このような構成により、操作表示装置３１が不用意に抜け出ることを防止でき、信頼性を更に高めることができる。また、蓋板６１で開口部２３ｂが塞がれるので、操作表示装置３１に埃および水が入ることを防止することができる。
【００９３】
また、ホルダ基板４６の前面に設けられたフィルム基板４７のリード線部５４が接続される基板４５は、フィルム基板４７のリード線部５４が接続される接続端子５０とは反対側の部分に、電源用コネクタ６２が設けられている。このような構成により、収納部材４４の入口側部分で、電源用コネクタ６２を、冷蔵庫本体１からの電源線と接続させることができる。しかも、その接続は、ホルダ基板４６に設けられた切欠き部４６ａを介して、ホルダ基板４６の前面側から行うことができる。よって、このような構成により、作業性を向上させることができる。
【００９４】
なお、操作表示装置３１は、本実施の形態では、観音開き式扉１０の照度センサ３０が設けられた扉に配設された場合を例にして説明したが、この構成に限られない。操作表示装置３１は、照度センサ３０が設けられていない側の扉に設けられていてもよいし、場合によっては、他の扉、例えば引き出し式扉に設けられていてもよい。
【００９５】
また、操作表示装置３１は、ＬＥＤ４９による照射機能を備えたものを例にして説明したが、照射機能がない、例えば電極等の操作表面部分に表示文字が付されているだけのものであってもよい。
【００９６】
以上、本開示について、実施の形態を用いて説明したが、本開示は、これに限定されるものではない。すなわち、今回開示された実施の形態は、すべての点で例示であって制限的なものではないと考えられるべきである。つまり、本開示の範囲は、上記した説明ではなくて請求の範囲によって示され、請求の範囲と均等の意味および範囲内でのすべての変更が含まれることが意図される。
【産業上の利用可能性】
【００９７】
以上述べたように、本開示は、照度センサが設けられた扉の下方に位置する別の扉の上部のデザインを任意に設定できるとともに、照度センサが設けられた扉の下方に位置する別の扉の上部に把手部を設けることもでき、意匠および信頼性が高く使い勝手も良い冷蔵庫を提供することができる。よって、家庭用はもちろん、業務用の冷蔵庫およびやワインクーラ等にも幅広く適用できる。
【符号の説明】
【００９８】
１  冷蔵庫本体
５  冷蔵室（貯蔵室）
１０  扉（観音開き式扉、貯蔵室扉）
１１，１２，１３，１４  扉（引き出し式扉）
１０ａ，１１ａ，１２ａ，１３ａ，１４ａ  把手部
２２  内フレーム
２３  扉枠
２３ａ  切欠き部
２３ｂ  開口部
２４  ガラス板（扉前面部材）
２５  接着剤
２６  樹脂フィルム
２７  着色層
２８  発泡断熱材
３０  照度センサ
３１  操作表示装置
３２  ユニット枠
３３  ユニット枠体
３４  センサ基板
３５  ネジ
３６  スペーサ
３７  光センサ
３８  導光部材
３９  切欠き透孔部
４０  先端部
４１  面取り部
４４  収納部材
４５  基板
４６  ホルダ基板
４６ａ  切欠き部
４７  フィルム基板
４８  フィルム部材
４９  ＬＥＤ
５０  接続端子
５１  開口部
５２  電極
５３  表示文字
５４  リード線部
５５  突出部
５６  第一押圧部
５７  第二押圧部
５８  突起
５９  係止突起
６０  抜け防止片
６１  蓋板
６２  電源用コネクタ
【図１】
2018115850.tif 000003
【図２】
2018115850.tif 000004
【図３】
2018115850.tif 000005
【図４】
2018115850.tif 000006
【図５】
2018115850.tif 000007
【図６】
2018115850.tif 000008
【図７】
2018115850.tif 000009
【図８】
2018115850.tif 000010
【図９】
2018115850.tif 000011
【図１０】
2018115850.tif 000012
【図１１】
2018115850.tif 000013
【図１２】
2018115850.tif 000014
【図１３】
2018115850.tif 000015
【図１４】
2018115850.tif 000016
【図１５】
2018115850.tif 000017
【図１６】
2018115850.tif 000018
【図１７】
2018115850.tif 000019
【図１８】
2018115850.tif 000020
【図１９】
2018115850.tif 000021
【図２０】
2018115850.tif 000022
【図２１】
2018115850.tif 000023